(57)【要約】【課題】配線作業を簡便にでき、柔軟性が良好な平織ケーブルとその配線方法を提供する。【解決手段】複数本並列に配置された同軸線２と、これら同軸線２に対して並び方向ｘの一側から他側に沿って上下に平織りすると共に同軸線２の長手方向ｙにジグザグに平織りして同軸線２を横一列に結束する繊維部材４とを備えた平織ケーブル１において、同軸線２の並び方向ｘの他側に沿って配置されたダミー線３を備え、繊維部材４がジグザグに同軸線２の長手方向ｙに平織りされる際に、繊維部材４が、一側から他側に向かう往路９と他側から一側に向かう復路１０とにおいて、並列に並べられた同軸線２の上下の同じ側を通して平織りされるものである。同軸線２を基板５に接続し、平織ケーブル１からダミー線３を引き抜いた後、繊維部材４を引き抜いて同軸線２を解放する。【選択図】図１
2014150026.tif 000002
【特許請求の範囲】
【請求項１】
複数本並列に配置された同軸線と、その並列された同軸線に対して並び方向の一側から他側に沿って上下に平織りすると共に同軸線の長手方向にジグザグに平織りして同軸線を横一列に並べた状態に結束するための繊維部材とを備えた平織ケーブルにおいて、
並列に並べられた同軸線の並び方向の他側に沿って配置されたダミー線を備え、前記繊維部材がジグザグに同軸線の長手方向に平織りされる際に、繊維部材が、その一側から他側に向かう往路と他側から一側に向かう復路とにおいて、前記並列に並べられた同軸線の上下の同じ側を通して平織りされることを特徴とする平織ケーブル。
【請求項２】
請求項１記載の平織ケーブルの同軸線を基板に接続し、前記平織ケーブルから前記ダミー線を引き抜いた後、前記繊維部材を引き抜いて同軸線を解放することを特徴とする平織ケーブルの配線方法。
【発明の詳細な説明】
【技術分野】
【０００１】
本発明は、平織ケーブルとその配線方法に関するものである。
【背景技術】
【０００２】
超音波診断装置のプローブケーブルの端末部では、１２８ｃｈ、１９２ｃｈ、２５６ｃｈなどの超音波診断装置のチャンネル数に応じ、同数の同軸線を基板へと接続する必要がある。このように非常に多くの同軸線を基板に配線する際には、同軸線を横一列に並べ、その状態を保つことが必要条件となっている。
【０００３】
図３に示すように、現行では上述の条件を満たすため、ラミネートテープ２０により同軸線２の端末部分を横一列に整える作業（はんだ前処理）を行った後、配線作業を行っている。
【先行技術文献】
【特許文献】
【０００４】
【特許文献１】特開２０１２−０１５０８７号公報
【発明の概要】
【発明が解決しようとする課題】
【０００５】
しかしながら、はんだ前処理は手作業で行うため、非常に時間がかかるという問題があった。また、作業者により精度にばらつきがあり、同軸コアが綾組を発生させてしまう虞もあるという問題があった。
【０００６】
また、同軸線を横一列に整える方法としては、図４に示す平織ケーブル２１のように、同軸線２の並列方向に沿って複数本の同軸線２間を縫うように繊維部材２２によりケーブル全体を織り込む方法（特許文献１）もある。
【０００７】
この方法によれば、端末接続の際に同軸線２を横一列に並べた状態に保つことができ、はんだ前処理を行う必要がないため、配線作業が簡便になる。しかし、ケーブル全体を織り込んでしまうため、ケーブルの使用時に柔軟性が不十分になる虞があるという課題があった。
【０００８】
そこで、本発明の目的は、上記課題を解決し、配線作業を簡便にでき、ケーブル使用時に柔軟性が良好な平織ケーブルとその配線方法を提供することにある。
【課題を解決するための手段】
【０００９】
上記課題を解決するために本発明は、複数本並列に配置された同軸線と、その並列された同軸線に対して並び方向の一側から他側に沿って上下に平織りすると共に同軸線の長手方向にジグザグに平織りして同軸線を横一列に並べた状態に結束するための繊維部材とを備えた平織ケーブルにおいて、並列に並べられた同軸線の並び方向の他側に沿って配置されたダミー線を備え、前記繊維部材がジグザグに同軸線の長手方向に平織りされる際に、繊維部材が、その一側から他側に向かう往路と他側から一側に向かう復路とにおいて、前記並列に並べられた同軸線の上下の同じ側を通して平織されるものである。
【発明の効果】
【００１０】
本発明によれば、配線作業を簡便にでき、ケーブル使用時の柔軟性を良好にできる。
【図面の簡単な説明】
【００１１】
【図１】（ａ）は本実施の形態に係る平織ケーブルの説明図であり、（ｂ）は繊維部材の経路を（ａ）のＡ−Ａ線断面から視た説明図である。
【図２】平織ケーブルの配線方法を示す説明図であり、（ａ）は基板に平織ケーブルを接続した状態を示し、（ｂ）は平織ケーブルからダミー線を引き抜く状態を示し、（ｃ）は平織ケーブルから繊維部材を引き抜く状態を示し、（ｄ）は平織ケーブルの同軸線が解放された状態を示す。
【図３】従来の配線方法を示す説明図である。
【図４】他の従来技術の説明図である。
【発明を実施するための形態】
【００１２】
本発明に係る平織ケーブルを図面に基づいて説明する。
【００１３】
図１は平織ケーブルの模式図であり、（ａ）は平織ケーブルの片面を示し、（ｂ）は平織ケーブルのＡ−Ａ線断面を示す。なお、図１（ｂ）は、同軸線間を縫う繊維部材の経路が判り易いように同軸線及び繊維部材を模式的に誇張して示す。また、繊維部材は立体的に複雑に延びるため、便宜上、図１（ｂ）の紙面上方を上、紙面下方を下と定義する。よって、以下で述べる上下方向は製造時又は使用時等の上下方向とは無関係である。
【００１４】
図１（ａ）、（ｂ）に示すように、平織ケーブル１は、複数本並列に配置された同軸線２と、同軸線２に沿って配置されると共に同軸線２の列の外側に配置されたダミー線３と、同軸線２とダミー線３を横一列に並べた状態に結束するための繊維部材４とを備える。
【００１５】
同軸線２は、細径同軸ケーブルからなる。複数本の同軸線２は、隣り合う同軸線２同士が接続すべき基板５の接続部６（図２（ａ）参照）の間隔と等しくなるように間隔を隔てて形成されており、同軸線２間には空隙７が形成されている。同軸線２の並び方向ｘの一側からは後述する繊維部材４の先端部８が側方に延出されるようになっている。また、同軸線２の並び方向ｘの他側には、後述するダミー線３が同軸線２と並行に配置されている。
【００１６】
ダミー線３は、同軸線２又は同軸線２と略同径の細長い樹脂からなる。ダミー線３は、繊維部材４を同軸線２に織り込まれた状態に保持する機能を有する。
【００１７】
繊維部材４は、十分な強度を有すると共に潤滑性のあるポリエステル等の樹脂からなる。繊維部材４は、並列された同軸線２に対して並び方向ｘの一側から他側に沿って上下に平織りすると共に同軸線２の長手方向ｙにジグザグに平織りするように同軸線２に織り込まれている。
【００１８】
また、繊維部材４は、一側から他側に向かう往路９と、往路９から折り返されて他側から一側に向かう復路１０とを一組の単位として同軸線２間に縫い込まれており、繊維部材４の先端部８は復路１０にされている。すなわち、同軸線２の最も先端側に位置される繊維部材４は復路１０にされており、この復路１０の繊維部材４の先端部８が同軸線２の列から側方に延出されるようになっている。
【００１９】
また、繊維部材４は、ジグザグに同軸線２の長手方向ｙに平織りされる際に、同じ組の往路９と復路１０とにおいて、並列に並べられた同軸線２の上下の同じ側を通して平織りされる。これにより、ダミー線３を引き抜いたとき、繊維部材４の折り返し部１１が同軸線２と交差しないようになっている。また、往路９から復路１０に折り返す位置の繊維部材４は、往路９からダミー線３の外周に沿って略一周巻かれた後、上下の側が往路９と同じである復路１０に至るようになっている。
【００２０】
またさらに、復路１０から次の組の往路９に折り返す位置の繊維部材４は、復路１０から同軸線２の外周に沿って略一周巻かれた後、上下の側が逆となる往路９に至るようになっており、隣り合う組の復路１０と往路９とは上下の逆側を通して平織りされるようになっている。これにより、それぞれの同軸線２を上下から交互に支持して同じ高さに揃えるようになっている。
【００２１】
次に平織ケーブル１の配線方法について述べる。
【００２２】
それぞれの同軸線２を基板５の接続部６に接続するとき、同軸線２は予め平織りされることで一列に整列されているため、従来のようにはんだ前処理を行う必要はない。また、図２（ａ）に示すように、同軸線２は、接続部６の間隔と等しい間隔で平織りされているため、いずれかの同軸線２を所定の接続部６に位置決めすることで全ての同軸線２の位置決めができる。このようにして同軸線２の位置決めがされたら、それぞれの同軸線２を対応する接続部６にはんだ等によって接続する。
【００２３】
この後、図２（ｂ）に示すように、平織ケーブル１からダミー線３を引き抜く。これにより、繊維部材４とダミー線３との係合が解除される。
【００２４】
しかるのち、図２（ｃ）に示すように、繊維部材４の同軸線２の並び方向ｘの一側から延びる繊維部材４の先端部８を引っ張り、平織ケーブル１から繊維部材４を引き抜く。同一組の往路９と復路１０は、同軸線２の上下の同じ側を通して平織されているため、ダミー線３が引き抜かれることでダミー線３に巻かれていた折り返し部１１を留めるものはなくなり、繊維部材４は先端側の組から順次引き抜かれる。これにより、図２（ｄ）に示すように、同軸線２は繊維部材４から解放され、柔軟に屈曲できる状態となる。
【００２５】
このように、並列に並べられた同軸線２の並び方向ｘの他側に沿って配置されたダミー線３を備え、繊維部材４がジグザグに同軸線２の長手方向ｙに平織りされる際に、繊維部材４が、その一側から他側に向かう往路９と他側から一側に向かう復路１０とにおいて、並列に並べられた同軸線２の上下の同じ側を通して平織りされるものとしたため、基板５への配線作業を簡便にでき、柔軟性を良好にできる。
【００２６】
また、同軸線２を基板５に接続し、平織ケーブル１からダミー線３を引き抜いた後、繊維部材４を引き抜いて同軸線２を解放することにより、繊維部材４から同軸線２を容易に解放でき、基板５に接続した後の平織ケーブル１を柔軟にできる。
【００２７】
なお、ダミー線３は同軸線２の並び方向ｘの他側にのみ配置されるものとしたが、両側に配置されるものとしてもよい。この場合、両側のダミー線３を引き抜いたのち、繊維部材４を引き抜いて同軸線２を解放するとよい。
【符号の説明】
【００２８】
１  平織ケーブル
２  同軸線
３  ダミー線
４  繊維部材
５  基板
９  往路
１０  復路
ｘ  並び方向
ｙ  長手方向
【図１】
2014150026.tif 000003
【図２】
2014150026.tif 000004
【図３】
2014150026.tif 000005
【図４】
2014150026.tif 000006